(57)【要約】【課題】  小型化容易で、低コストである温水洗浄便座を提供する。【解決手段】  人体局部を洗浄する洗浄ノズル機構を有する温水洗浄便座１であって、洗浄ノズル機構１ａは、軸を中心として回転自在に軸支されて、外周面上に渦巻状の２つの溝８ａ、８ｂが逆方向に設けられた円筒カム２と、円筒カム２の２つの溝８ａ、８ｂのそれぞれに係合されて円筒カム２の回転に従って軸方向に送られる従節４ａ、４ｂを設け、噴出孔６ａ、７ａから洗浄用の温水を噴出する第一及び第二の洗浄ノズル６、７とが、備えられ、２つの溝８ａ、８ｂによる従節４ａ、４ｂの送り量は、従節４ａ、４ｂの最前進位置９ａ、９ｂから基準位置１０ａ、１０ｂまでの区間が、基準位置１０ａ、１０ｂから最後退位置１１ａ、１１ｂまでの区間よりも、大きくなっている。【選択図】図１
2006144448.tif 000002
【特許請求の範囲】
【請求項１】
人体局部を洗浄する洗浄ノズル機構を有する温水洗浄便座であって、
洗浄ノズル機構は、軸を中心として回転自在に軸支されて、外周面上に渦巻状の２つの溝又は突起が逆方向に設けられた円筒カムと、
円筒カムの２つの溝又は突起のそれぞれに係合されて円筒カムの回転に従って軸方向に送られる従節を設け、噴出孔から洗浄用の温水を噴出する第一及び第二の洗浄ノズルとが、備えられ、
２つの溝又は突起による従節の送り量は、従節の最前進位置から基準位置までの区間が、基準位置から最後退位置までの区間よりも、大きいことを特徴とする温水洗浄便座。
【請求項２】
２つの溝又は突起による従節の送り量は、各溝又は各突起毎に、各従節の最前進位置から基準位置までの区間が、異なることを特徴とする請求項１に記載の温水洗浄便座。
【発明の詳細な説明】
【技術分野】
【０００１】
本発明は、人体局部を洗浄する洗浄ノズル機構を有する温水洗浄便座に関するものである。
【背景技術】
【０００２】
従来から、人体局部を洗浄する洗浄ノズル機構を有する温水洗浄便座として、特開２００２−２１３００６号公報（特許文献１）に記載されているもの、すなわち、洗浄ノズルを内装する移動体が、周面に多条ねじが形成された棒状ガイドに螺合されており、棒状ガイドを軸周りに回転させることで、移動体を前後させ、洗浄ノズルの位置を制御するものが知られている。
【０００３】
ここで、複数の洗浄ノズルを制御する場合には、移動体と棒状ガイドを、洗浄ノズルと同数用意し、各洗浄ノズル毎に制御する構成が例示されている。
【特許文献１】特開２００２−２１３００６号公報
【発明の開示】
【発明が解決しようとする課題】
【０００４】
しかしながら、上記構成では、洗浄ノズル毎に洗浄ノズル機構が設けられることとなり、その小型化が困難であり、コストが高くなるという可能性があった。
【０００５】
本願発明は、上記背景技術に鑑みてなされたものであり、その課題は、小型化容易で、低コストである人体局部を洗浄する洗浄ノズル機構を有する温水洗浄便座を提供することである。
【課題を解決するための手段】
【０００６】
上記課題を解決するために、本願発明は、人体局部を洗浄する洗浄ノズル機構を有する温水洗浄便座であって、洗浄ノズル機構は、軸を中心として回転自在に軸支されて、外周面上に渦巻状の２つの溝又は突起が逆方向に設けられた円筒カムと、円筒カムの２つの溝又は突起のそれぞれに係合されて円筒カムの回転に従って軸方向に送られる従節を設け、噴出孔から洗浄用の温水を噴出する第一及び第二の洗浄ノズルとが、備えられ、２つの溝又は突起による従節の送り量は、従節の最前進位置から基準位置までの区間が、基準位置から最後退位置までの区間よりも、大きいことを特徴とする温水洗浄便座である。
【発明の効果】
【０００７】
本願発明によれば、１つの円筒カムには、外周面上に渦巻状の２つの溝又は突起が逆方向に設けられ、その２つの溝又は突起のそれぞれに係合された第一及び第二の洗浄ノズルの各従節は、円筒カムの回転に従って、軸方向に互いに逆方向に送られるので、第一の洗浄ノズルが伸長した場合に、第二の洗浄ノズルが縮短し、また第一の洗浄ノズルが縮短した場合に、第二の洗浄ノズルが伸長することとなり、１つの円筒カムで２つの洗浄ノズルの移動を制御することができ、洗浄ノズル毎に洗浄ノズル機構を設ける必要が無い。また従節の送り量は、最前進位置から基準位置までの区間が、基準位置から最後退位置までの区間よりも、大きいことから、各洗浄ノズルが基準位置からの縮短量を小さくでき、洗浄ノズル機構と共にそれを有する温水洗浄便座の小型化が図れる。
【発明を実施するための最良の形態】
【０００８】
本願の請求項１及び２に対応した温水洗浄便座１の第一実施形態を図１、図２及び図５により説明する。
【０００９】
本第一実施形態の温水洗浄便座１は、図１、図２及び図５に示す如く、人体局部を洗浄する洗浄ノズル機構を有する温水洗浄便座１であって、洗浄ノズル機構１ａは、軸を中心として回転自在に軸支されて、外周面上に渦巻状の２つの溝８ａ、８ｂが逆方向に設けられた円筒カム２と、円筒カム２の２つの溝８ａ、８ｂのそれぞれに係合されて円筒カム２の回転に従って軸方向に送られる従節４ａ、４ｂを設け、噴出孔６ａ、７ａから洗浄用の温水を噴出する第一及び第二の洗浄ノズル６、７とが、備えられ、２つの溝８ａ、８ｂによる従節４ａ、４ｂの送り量は、従節４ａ、４ｂの最前進位置９ａ、９ｂから基準位置１０ａ、１０ｂまでの区間が、基準位置１０ａ、１０ｂから最後退位置１１ａ、１１ｂまでの区間よりも、大きくなっている。
【００１０】
ここで、２つの溝８ａ、８ｂによる従節４ａ、４ｂの送り量は、各溝８ａ、８ｂ毎に、各従節４ａ、４ｂの最前進位置９ａ、９ｂから基準位置１０ａ、１０ｂまでの区間が、異なるものとなっている。
【００１１】
なお、基準位置１０ａ、１０ｂとは、第一及び第二の洗浄ノズル６、７が動作していない状況で従節４ａ、４ｂが位置する溝８ａ、８ｂ（又は突起）の部分をいう。そして従節４ａ、４ｂがこの位置にある場合に、２つの洗浄ノズル６、７のいずれの先端も便座から露出しない状態となる。
【００１２】
また、最前進位置９ａ、９ｂとは、便座からの第一及び第二の洗浄ノズル６、７の露出量が最大となる状況で従節４ａ、４ｂが位置する溝８ａ、８ｂ（又は突起）の部分をいう。
【００１３】
そして、最後退位置１１ａ、１１ｂとは、便座奥方への第一及び第二の洗浄ノズル６、７の後退量が最大となる状況で従節４ａ、４ｂが位置する溝８ａ、８ｂ（又は突起）の部分をいう。
【００１４】
さらに、送り量とは、円筒カム２が１回転する間に行われる従節４ａ、４ｂの移動距離をいう。ここで指定区間内における送り量については、必ずしもその区間内で円筒カム２が１回転以上する必要は無く、その指定区間内での円筒カム２の回転数と従節４ａ、４ｂの移動距離から算出された、円筒カム２の１回転当たりの従節４ａ、４ｂの移動距離で表される。
【００１５】
以下、本第一実施形態による温水洗浄便座１の構成を、より具体的詳細に説明する。
【００１６】
最初に温水洗浄便座１について説明する。これは図５に示すように、人体局部の洗浄を行う機構を有する温水洗浄便座本体１２と、使用者が洗浄方法等を選択操作するための操作部１２ａと、操作部１２ａからの信号に応じて便座温度、洗浄温度及び洗浄流量等の動作条件を制御するための主制御部（図示せず）と、使用者が座るための便座１２ｂとで構成されている。また温水洗浄便座本体１２の内部には、水源からの給水／停止を行うための給水弁と、水源からの水を貯え、ヒータにより加熱し温水にする温水タンクと、局部を洗浄するための水を噴出する洗浄ノズル機構１ａと、給水弁と洗浄ノズル機構１ａを結ぶ給水経路と、温水タンク内の水を洗浄ノズル機構１ａに搬送するための水ポンプと、が配置されている。さらに温水洗浄便座本体１２の上部には、便座１２ｂを覆う便蓋１２ｃが回動自在に備えられている。
【００１７】
そして温水洗浄便座１は、使用者が操作部１２ａを操作すると、主制御部が給水弁、温水タンク、洗浄ノズル機構１ａ、給水経路、水ポンプを制御し、人体局部を洗浄する。
【００１８】
以下、洗浄ノズル機構１ａを説明するが、まず、円筒カム２について説明する。これは図１に示す如く、円柱体の外周に２つの溝８ａ、８ｂが設けられたものである。
【００１９】
ここで、溝８ａは図２において縦線でハッチングされた箇所であり、断面が略矩形で、円筒カム２の最前進位置９ａの側の端部から見て、軸を中心として反時計回りに設けられており、すなわち図２に示す如く、円筒カム２の最前進位置９ａの側の端部から円筒カム２の最後退位置１１ａの側の端部に向かって、円筒カム２の軸長の略９０％進んだ基準位置１０ａで１周するものとなっている。そして円筒カム２の軸長の略９０％進んだ基準位置１０ａから略９５％進んだ最後端位置１１ａでさらにもう１周し、そこで溝８ａは終了するものとなっている。そのため、基準位置１０ａから最後退位置１１ａまでの区間の送り量（円筒カム２の１回転当たりで円筒カム２の軸長の略５％）が、最前進位置９ａから基準位置１０ａまでの区間にあるもの（円筒カム２の１回転当たりで円筒カム２の軸長の略９０％）よりも小さいものとなる。
【００２０】
そして、溝８ｂは図２において横線でハッチングされた箇所であり、断面が溝８ａに比較して略２倍の幅と略半分の高さを有する略矩形で、円筒カム２の最前進位置９ｂの端部から見て、溝８ａに対し軸の反対側の位置から軸を中心として時計回りに設けられており、すなわち図２に示す如く、円筒カム２の最前進位置９ｂの側の端部から円筒カム２の最後退位置１１ｂの側の端部に向かって、円筒カム２の軸長の略８０％進んだ基準位置１０ｂで１周するものとなっている。そして円筒カム２の軸長の略８０％進んだ基準位置１０ｂから略９５％進んだ最後端位置１１ｂでさらにもう１周し、そこで溝８ｂは終了するものとなっている。そのため、基準位置１０ｂから最後退位置１１ｂまでの区間の送り量（円筒カム２の１回転当たりで円筒カム２の軸長の略１５％）が、最前進位置９ｂから基準位置１０ｂまでの区間にあるもの（円筒カム２の１回転当たりで円筒カム２の軸長の略８０％）よりも小さいものとなる。
【００２１】
また、溝８ａによる従節４ａの、最前進位置９ａから基準位置１０ａまでの区間の送り量（円筒カム２の１回転当たりで円筒カム２の軸長の略９０％）は、溝８ｂによる従節４ｂの、最前進位置９ｂから基準位置１０ｂまでの区間の送り量（円筒カム２の１回転当たりで円筒カム２の軸長の略８０％）よりも大きいものとなる。
【００２２】
また、円筒カム２の両端面は円筒カム２と同軸の円柱状突起１４ａ、１４ｂが設けられており、このうち円筒カム２の一方の端面の円柱状突起１４ｂには円筒カム２を回転させるステッピングモータ３が接続され、この状態で円柱状突起１４ａ、１４ｂは土台５上端のU字部１２ａ、１２ｂ（詳細後述）に支持される。そして円筒カム２はステッピングモータ３により反時計回り又は時計回りのいずれにも回転させられる。
【００２３】
次に、ビデ洗浄ノズル６（第一の洗浄ノズル）、お尻洗浄ノズル７（第二の洗浄ノズル）について説明する。これらは図１に示す如く、先端に温水の噴出する噴出孔６ａ、７ａを有する円筒管状であり、図示しない給水経路を介して図示しない温水タンクに接続されており、使用者の操作指示に従った温水の供給を受け、噴出孔６ａ、７ａから洗浄対象に吹付けるものである。
【００２４】
ここで、ビデ洗浄ノズル６、お尻洗浄ノズル７はいずれも後端近傍に円筒カム２の溝８ａ、８ｂに係合される従節４ａ、４ｂが設けられているが、ビデ洗浄ノズル６に設けられた従節４ａの方が、ノズル先端からの距離において、お尻洗浄ノズル７に設けられた従節４ｂよりも大きいものとなっている。また、従節４ａ、４ｂはいずれも円柱状であり、従節４ｂは従節４ａの略２倍の幅と略半分の高さを有している。
【００２５】
また、いずれも、ビデ洗浄ノズル６、お尻洗浄ノズル７の外形と略同等の形状を有する土台５の孔部１３ａ、１３ｂ、１３ｃ、１３ｄ（詳細後述）に挿入されて軸方向に動作するように支持される。
【００２６】
次に、土台５について説明する。これは図１に示す如く、底面が略長方形状で上面が開口された略箱形状のもので、長手方向において内方面の対向する両端部１５ａ、１５ｂには、上端にＵ字部１２ａ及び１２ｂが、下端に２つの孔部１３ａ、１３ｂ及び１３ｃ、１３ｄが、それぞれ設けられている。
【００２７】
この２つの孔部１３ａ、１３ｂ及び１３ｃ、１３ｄのそれぞれにビデ洗浄ノズル６、お尻洗浄ノズル７が挿入されて、ノズル先端側に位置する一方の端部１５ａから、ビデ洗浄ノズル６、お尻洗浄ノズル７が、伸長し、又は縮端することとなる。そして他方の端部１５ｂには図示しない給水経路へ接続される。
【００２８】
また、上端のＵ字部１２ａ、１２ｂに円筒カム２が支持される。すなわちノズル先端側に位置する一方の端部１５ａには、円筒カム２の一方の端面に設けられた円柱状突起１４ａが、他方の端部１５ｂには円筒カム２の他方の端面に設けられた円柱状突起１５ｂが、それぞれ支持される。
【００２９】
この状態で、円筒カム２の２つの溝８ａ、８ｂは、それぞれビデ洗浄ノズル６に設けられた従節４ａ、お尻洗浄ノズル７に設けられた従節４ｂ、にそれぞれ係合されるように設けられている。
【００３０】
次に、本第一実施形態による温水洗浄便座１の動作を、より具体的詳細に説明する。
【００３１】
まず、ビデ洗浄ノズル６、お尻洗浄ノズル７が動作していない状況では、これらの従節４ｂ、４ａは、図２における基準位置１０ｂ、１０ａに位置することとなる。
【００３２】
ここで、使用者がお尻洗浄ノズル７を使用するように操作指示を行った場合には、円筒カム２は、図１において円柱状突起１４ａから見て、軸を中心として時計回りに回転される。これによりお尻洗浄ノズル７に設けられた従節４ｂは、基準位置１０ｂから最前進位置９ｂに向かってお尻洗浄ノズル７が露出するように伸長し、洗浄動作箇所に位置する。またビデ洗浄ノズル６の従節４ａは最後退位置１１ａに位置することとなる。なおステッピングモータ３の回転量により、最前進位置９ｂを限度とする範囲内でお尻洗浄ノズル７の位置は任意に設定される。そして使用者によって設定した位置で、お尻洗浄ノズル７の噴出孔７ａから洗浄用の温水が噴出される。
【００３３】
一方、最後退位置１１ａに位置するビデ洗浄ノズル６の従節４ａは、上記の通り、基準位置１０ａから最後退位置１１ａまでの区間の送り量が、最前進位置９ａから基準位置１０ａまでの区間にあるものよりも小さいので、基準位置１０ａからの縮短量は、基準位置１０ａからの伸長量に比し、小さいものですむ。
【００３４】
そして、使用者が動作を終了するように操作指示を行った場合には、円筒カム２は、図１において円筒状突起１４ａから見て、軸を中心として反時計回りに回転され、従節４ａ、４ｂは、図２における基準位置１０ａ、１０ｂに位置することとなる。
【００３５】
次いで、使用者がビデ洗浄ノズル６を使用するように操作指示を行った場合には、円筒カム２は、図１において円柱状突起１４ａから見て、軸を中心として反時計回りに回転される。これによりビデ洗浄ノズル６に設けられた従節４ａは、基準位置１０ａから最前進位置９ａに露出するように伸長し、洗浄動作箇所に位置する。またお尻洗浄ノズル７の従節４ｂは再後退位置１１ｂに位置することとなる。ここで、上記の通り、溝８ａによる従節４ａの、最前進位置９ａから基準位置１０ａまでの区間の送り量は、溝８ｂによる従節４ｂの、最前進位置９ｂから基準位置１０ｂまでの区間の送り量よりも大きいので、ビデ洗浄ノズル６はお尻洗浄ノズル７よりも伸長量が大きくなる。なおステッピングモータ３の回転量により、最前進位置９ａを限度とする範囲内で従節４ｂの位置は任意に設定される。そして使用者によって設定した位置で、ビデ洗浄ノズル６の噴出孔６ａから洗浄用の温水が噴出される。
【００３６】
一方、最後退位置１１ｂに位置するお尻洗浄ノズル７の従節４ｂは、上記の通り、基準位置１０ｂから最後退位置１１ｂまでの区間の送り量が、最前進位置９ｂから基準位置１０ｂまでの区間の送り量よりも小さいので、基準位置からの縮短量は、基準位置からの伸長量に比し、小さいものですむ。
【００３７】
そして、使用者が動作を終了するように操作指示を行った場合には、円筒カム２は、図１において円柱状突起１４ａから見て、軸を中心として時計回りに回転され、従節４ａ、４ｂは、図２における基準位置１０ａ、１０ｂに位置することとなる。
【００３８】
次に、本願の請求項１に対応した温水洗浄便座１の第二実施形態を図３、図４及び図５により説明する。
【００３９】
本第二実施形態の温水洗浄便座１は、図３、図４及び図５に示す如く、円筒カム２、ステッピングモータ３、及び従節４ａ、４ｂが本第一実施形態と相違するだけで、その他は本第一実施形態と同じ構成である。
【００４０】
この円筒カム２は、図３に示す如く、円柱体の外周に２つの溝８ａ、８ｂが設けられたものである。ここで溝８ａは図４において縦線でハッチングされた箇所であり、溝８ｂは図３において縦線でハッチングされた箇所である。
【００４１】
そして、溝８ａ、８ｂはいずれも断面が同一形状の略矩形であり、円柱状突起１４ａから見て、軸を中心として、溝８ａは反時計回りに、溝８ｂは時計回りに、それぞれ設けられており、すなわち、溝８ａ、８ｂはいずれも円筒カム２の最前進位置９ａ、９ｂの側の端部から円筒カム２の最後退位置１１ａ、１１ｂの側の端部に向かって、円筒カム２の軸長の略９０％進んだ位置１６で１周するものとなっている。そして円筒カム２の軸長の略９０％進んだ位置１６から略９５％進んだ最後退位置１１ａ、１１ｂでさらにもう半周するものとなっている。そのため、基準位置１０ａ、１０ｂから最後退位置１１ａ、１１ｂまでの区間の送り量（円筒カム２の１回転当たりで円筒カム２の軸長の略５％）が、最前進位置９ａ、９ｂから基準位置１０ａ、１０ｂまでの区間にあるもの（円筒カム２の１回転当たりで円筒カム２の軸長の略９０％）よりも小さいものとなる。そして、溝８ａ、８ｂの、最前進位置９ａ、９ｂの側の端部及び最後退位置１１ａ、１１ｂの側の端部は、相互につながっている。
【００４２】
また、ステッピングモータ３は順逆両方向に回転するものでなく、一方向、例えば時計回りにのみ回転するものでよい。そして円筒カム２はステッピングモータ３により時計回りにのみ回転させられる。
【００４３】
そして、ビデ洗浄ノズル６、お尻洗浄ノズル７はいずれも後端近傍に円筒カム２の溝８ａ、８ｂに係合される従節４ａ、４ｂが設けられているが、これらは溝８ａ、８ｂの断面形状に合った同一形状のものであり、設けられた位置もノズル先端からの距離において、ビデ洗浄ノズル６、お尻洗浄ノズル７いずれも同等である。
【００４４】
次に、本第二実施形態による温水洗浄便座１の動作を、より具体的詳細に説明する。
【００４５】
まず、ビデ洗浄ノズル６、お尻洗浄ノズル７が動作していない状況では、これらの従節４ａ、４ｂは、図４における基準位置１０ａ、１０ｂに位置することとなる。
【００４６】
ここで、使用者がお尻洗浄ノズル７を使用するように操作指示を行った場合には、円筒カム２は、図３において円柱状突起１４ａから見て、軸を中心として時計回りに回転される。これによりお尻洗浄ノズル７に設けられた従節４ｂは、基準位置１０ｂから最前進位置１１ｂにお尻洗浄ノズル７が露出するように伸長し、洗浄動作箇所に位置する。またビデ洗浄ノズル６の従節４ａは最後退位置１１ｂに位置することとなる。なおステッピングモータ３の回転量により、最前進位置９ｂを限度とする範囲内で従節４ｂの位置は任意に設定される。そして使用者によって設定した位置で、お尻洗浄ノズル７の噴出孔７ａから洗浄用の温水が噴出される。
【００４７】
一方、最後退位置１１ａに位置するビデ洗浄ノズル６の従節４ａは、上記の通り、基準位置１０ａから最後退位置１１ａまでの区間の送り量が、最前進位置９ａから基準位置１０ａまでの区間よりも小さいので、基準位置１０ａからの縮短量は、基準位置１０ａからの伸長量に比し、小さいものですむ。
【００４８】
そして、使用者が動作を終了するように操作指示を行った場合には、円筒カム２は、図３において円柱状突起１４ａから見て、軸を中心としてさらに時計回りに回転され、図４における溝８ａ、８ｂの、最前進位置９ａの側の端部及び最後退位置１１ａの側の端部で、従節４ａは溝８ｂに、従節４ｂは溝８ａにそれぞれ係合し、その状態で円筒カム２の回転に従って、従節４ａは基準位置１０ｂに、従節４ｂは基準位置１０ａに位置することとなる。
【００４９】
以下、同様に円筒カム２は、図３において円柱状突起１４ａから見て、軸を中心としてさらに時計回りに回転されると、ビデ洗浄ノズル６に設けられた従節４ａが、基準位置１０ｂから最前進位置９ｂに向かってビデ洗浄ノズル６が露出するように伸長し、洗浄動作箇所に位置する。またお尻洗浄ノズル７の従節４ｂは最後退位置１１ａに位置することとなる。そしてさらに円筒カム２が時計回りに回転されると、図４における溝８ａ、８ｂの最前進位置９ａの側の端部及び最後退位置１１ａの側の端部で、従節４ａは溝８ａに、従節４ｂは溝８ｂにそれぞれ係合され、その状態で円筒カム２の回転に従って、従節４ａは基準位置１０ａに、従節４ｂは基準位置１０ｂに位置することとなる。
【００５０】
従って、本第一及び第二実施形態によれば、１つの円筒カム２には、外周面上に渦巻状の２つの溝８ａ、８ｂが逆方向に設けられ、その２つの溝８ａ、８ｂそれぞれに係合されたビデ洗浄ノズル６及びお尻洗浄ノズル７の各従節４ａ、４ｂは、円筒カム２の回転に従って、軸方向に互いに逆方向に送られるので、ビデ洗浄ノズル６が伸長した場合に、お尻洗浄ノズル７が縮短し、またビデ洗浄ノズル６が縮短した場合に、お尻洗浄ノズル７が伸長することとなり、１つの円筒カム２でビデ洗浄ノズル６、お尻洗浄ノズル７の移動を制御することができ、洗浄ノズル毎に洗浄ノズル機構を設ける必要が無い。また従節４ａ、４ｂの送り量は、最前進位置９ａ、９ｂから基準位置１０ａ、１０ｂまでの区間が、基準位置９ａ、９ｂから最後退位置１１ａ、１１ｂまでの区間よりも、大きいことから、ビデ洗浄ノズル６、お尻洗浄ノズル７が基準位置９ａ、９ｂからの縮短量を小さくでき、洗浄ノズル機構１ａと共にこれを有する温水洗浄便座１の小型化が図れる。
【００５１】
そして、本第一実施形態によれば、ビデ洗浄ノズル６、お尻洗浄ノズル７毎に最前進位置９ａ、９ｂを変えることができ、洗浄ノズル種に応じた最適な位置への移動が可能となる。また、溝８ａ、溝８ｂに応じて従節４ａ、４ｂの形を変えることができるので、従節４ａ、４ｂを交換する場合に、取り付け間違いを防止することができる。
【００５２】
さらに、本第二実施形態によれば、円筒カム２を回転させるステッピングモータ３が順逆両方向に回転するものでなく、一方向、例えば時計回りにのみ回転するものでよいので、洗浄ノズル機構１ａと共にこれを有する温水洗浄便座１ａを低コストとすることができる。
【００５３】
なお、本第一及び第二実施形態では、円筒カム２に溝８ａ、８ｂを設けたが、これを突起に変えたものであってもよい。この場合、従節４ａ、４ｂは突起に係合されるように溝状の形態をとることとなる。
【図面の簡単な説明】
【００５４】
【図１】本願発明の第一実施形態の洗浄ノズル機構の分解斜視図
【図２】同上の円筒カムの展開図。
【図３】本願発明の第二実施形態の洗浄ノズル機構の分解斜視図
【図４】同上の円筒カムの展開図。
【図５】本願発明の第一実施形態及び第二実施形態の斜視図。
【符号の説明】
【００５５】
１      温水洗浄便座
１ａ    洗浄ノズル機構
２      円筒カム
４ａ    従節
４ｂ    従節
６      ビデ洗浄ノズル（第一の洗浄ノズル）
６ａ    噴出孔
７      お尻洗浄ノズル（第二の洗浄ノズル）
７ａ    噴出孔
８ａ    溝
８ｂ    溝
９ａ    最前進位置
９ｂ    最前進位置
１０ａ    基準位置
１０ｂ    基準位置
１１ａ    最後退位置
１１ｂ    最後退位置
【図１】
2006144448.tif 000003
【図２】
2006144448.tif 000004
【図３】
2006144448.tif 000005
【図４】
2006144448.tif 000006
【図５】
2006144448.tif 000007